(57)【要約】【課題】  支柱間にパネルを設けたものであって、施工が容易なパネル体を提供する。【解決手段】  支柱と、パネルと、上規制具と、下規制具と、ビードを備え、支柱は、側面にパネル保持溝を有していて、パネル保持溝の上端部と下端部に、それぞれ上規制具と下規制具を取り付けてあり、パネルは、側端部がパネル保持溝の上規制具と下規制具の間に呑み込まれていて、下端が下規制具に支持されており、パネルの表裏とパネル保持溝の間のビードで保持してある。【選択図】      図１
2018040160.tif 000002
【特許請求の範囲】
【請求項１】
支柱と、パネルと、上規制具と、下規制具と、ビードを備え、支柱は、側面にパネル保持溝を有していて、パネル保持溝の上端部と下端部に、それぞれ上規制具と下規制具を取り付けてあり、パネルは、側端部がパネル保持溝の上規制具と下規制具の間に呑み込まれていて、下端が下規制具に支持されており、パネルの表裏とパネル保持溝の間のビードで保持してあることを特徴とするパネル体。
【発明の詳細な説明】
【技術分野】
【０００１】
本発明は、支柱間にパネルを設けてあって、手摺などとして用いられるパネル体に関する。
【背景技術】
【０００２】
従来、屋内の吹き抜け部分に設置される手摺などにおいて、非特許文献１に示すように、支柱間に設けたパネルの四隅を固定金具で固定したドットポイントタイプのものがあった。
【先行技術文献】
【非特許文献】
【０００３】
【非特許文献１】「ＡＭｉＳカタログ（ＳＴＪ０７９８Ａ）」、三協立山株式会社、２０１３年２月、ｐ．１３
【発明の概要】
【発明が解決しようとする課題】
【０００４】
しかしながら、このようなドットポイントタイプのものは、パネルの四隅に孔を開けて固定金具を取り付けなければならず、施工に手間がかかるものであった。
【０００５】
本発明は、上記事情を鑑みたものであり、支柱間にパネルを設けたものであって、施工が容易なパネル体を提供することを目的とする。
【課題を解決するための手段】
【０００６】
本発明は、支柱と、パネルと、上規制具と、下規制具と、ビードを備え、支柱は、側面にパネル保持溝を有していて、パネル保持溝の上端部と下端部に、それぞれ上規制具と下規制具を取り付けてあり、パネルは、側端部がパネル保持溝の上規制具と下規制具の間に呑み込まれていて、下端が下規制具に支持されており、パネルの表裏とパネル保持溝の間のビードで保持してあることを特徴とする。
【発明の効果】
【０００７】
本発明によれば、パネルの側端部を支柱のパネル保持溝の上規制具と下規制具の間に呑み込ませ、パネルをビードで保持するだけで取り付けができるものであり、パネル自体に固定金具取り付けのための孔加工などが不要なので、施工が容易である。
【図面の簡単な説明】
【０００８】
【図１】本発明のパネル体のパネル取付部分の説明図である。
【図２】パネル体の横断面図であり、（ａ）は上規制具の高さ位置、（ｂ）はビードの高さ位置を示す。
【図３】パネル体の縦断面図である。
【図４】上規制具及び下規制具の説明図である。
【図５】パネル体の組立手順図（１）である。
【図６】パネル体の組立手順図（２）である。
【図７】パネル体の組立手順図（３）である。
【図８】パネル体の組立手順図（４）である。
【図９】パネル体の組立手順図（５）である。
【図１０】パネル体の組立手順図（６）である。
【図１１】パネル体の組立手順図（７）である。
【図１２】パネル体の組立手順図（８）である。
【図１３】パネル体の組立手順図（９）である。
【図１４】パネル体の組立手順図（１０）である。
【図１５】パネル体の組立手順図（１１）である。
【発明を実施するための形態】
【０００９】
以下、本発明の実施の形態を図面に基づいて説明する。図１及び図１５に示すように、このパネル体は、複数本の支柱（中間支柱１ａと端部支柱１ｂ）と、各支柱１ａ，１ｂ間に設けたパネル２と、上規制具３と、下規制具４と、ビード（先付ビード５ａと後付ビード５ｂ）と、手摺材６を備える。なお、各支柱１ａ，１ｂが左右方向に並んでいるものとし、パネル２の表側面及び裏側面が向く方向をそれぞれ前側及び後側とする。
【００１０】
支柱は、アルミ製の中空形材からなるものであって、パネル体の左右方向中間部に位置する中間支柱１ａと、左右端部に位置する端部支柱１ｂがある。図１〜図３に示すように、中間支柱１ａは、断面が前側と後側に向けてやや先窄まりとなった形状で、左側面と右側面の前後方向中央部に、上下に延びるパネル保持溝１１を形成してある。パネル保持溝１１の前後の入口縁部には、それぞれ左右方向に延びパネル保持溝１１の内外に向けて突出する入口片１２を設けてある。また、パネル保持溝１１内の、入口片１２の奥側（前側の入口片１２に対して前側かつ溝底側、後側の入口片１２に対して後側かつ溝底側）には、左右方向に延びパネル保持溝１１と連通するビード挿入溝１３を形成してある。さらに、ビード挿入溝１３の奥側（前側のビード挿入溝１３に対して前側、後側のビード挿入溝１３に対して後側）には、タッピングホール１４を形成してある。一方、端部支柱１ｂは、中間支柱１ａと略同じ外形のものであるが、左右側面のうち、隣接する中間支柱１ａと対向する側面にのみパネル保持溝１１を形成してあり、その反対側面は平らな壁面となっている。
【００１１】
支柱１ａ，１ｂのパネル保持溝１１の上端部と下端部には、それぞれ樹脂製の上規制具３と下規制具４を取り付けてある。図１、図２及び図４に示すように、中間支柱１ａには、上規制具３と下規制具４が２つずつ取り付けられ、端部支柱１ｂには、上規制具３と下規制具４が１つずつ取り付けられる。図１〜図４に示すように、上規制具３は、直方体形のブロック状のものであり、前後方向幅がパネル保持溝１１の幅と略同じであって、パネル保持溝１１内の上端部に納まっており、左右の露出面が入口片１２の先端面と面一になっている。そして、下面の前端部及び後端部には、それぞれ下側に向けて延出する表側片３１及び裏側片３２を形成してあり、表側片３１と裏側片３２の間の間隔が、パネル２の厚さと略同じになっている。一方、下規制具４は、直方体形のブロック状のものであり、前後方向幅がパネル保持溝１１の幅と略同じであって、パネル保持溝１１内の下端部に納まっており、左右の露出面が入口片１２の先端面と面一になっている。そして、上面の前端部及び後端部には、それぞれ上側に向けて延出する表側片４１及び裏側片４２を形成してあり、表側片４１と裏側片４２の間の間隔が、パネル２の厚さと略同じになっている。さらに、上面の表側片４１と裏側片４２の間部分に、載置部４４を形成してある。載置部４４は、表側片４１及び裏側片４２よりも高さが低く、また左右方向幅が短く、下規制具４の露出面よりも溝底側に奥まった位置にある。このようにパネル保持溝１１の上端部と下端部に対向して設けた上規制具３と下規制具４において、上規制具３の下面（表側片３１と裏側片３２の間部分）と下規制具４の載置部４４の上面の間の間隔は、パネル２の高さよりも長くなっており、上規制具３の表側片３１及び裏側片３２の下端と下規制具４の表側片４１及び裏側片４２の上端の間の間隔は、パネル２の高さよりも短くなっている。なお、上規制具３は、上側キャップ７に固定され、下規制具４は、下側キャップ８に固定されている。上側キャップ７及び下側キャップ８は、何れも樹脂製であって、略平板状で支柱１ａ，１ｂの断面形状と略同じ形状のものであり、上側キャップ７の下面に上規制具３を取り付けてあり、下側キャップ８の上面に下規制具４を取り付けてある。ここで、中間支柱１ａと端部支柱１ｂにおいて、上規制具３、下規制具４、上側キャップ７及び下側キャップ８は何れも共通の部材を用いるが、図４に示すように、中間支柱１ａに取り付ける上側キャップ７及び下側キャップ８には、上規制具３及び下規制具４を２つずつ取り付けてあり、端部支柱１ｂに取り付ける上側キャップ７及び下側キャップ８には、上規制具３及び下規制具４を１つずつ取り付けてある。
【００１２】
パネル２は、アクリルなどの樹脂やガラスからなる矩形平板状のものであって、透明、半透明、不透明の何れであってもよい。そして、図１〜図４に示すように、パネル２の左右の側端部が、支柱１ａ，１ｂのパネル保持溝１１の、上規制具３と下規制具４の間に呑み込まれている。また、パネル２の下端が下規制具４の載置部４４に載置されることで、パネル２が下規制具４に支持されている。さらに、呑み込まれたパネル２の側端部の上端部と下端部は、それぞれ上規制具３と下規制具４の表側片４１と裏側片４２の間に挟まれている。そして、パネル２の表側面及び裏側面と、パネル保持溝１１の入口片１２の間に、それぞれ先付ビード５ａと後付ビード５ｂを挿入してあり、この先付ビード５ａと後付ビード５ｂによりパネル２を保持してある。先付ビード５ａ及び後付ビード５ｂの長さは、上規制具３の表側片３１及び裏側片３２の下端と下規制具４の表側片４１及び裏側片４２の上端の間の間隔と略同じであり、先付ビード５ａ及び後付ビード５ｂの上端が上規制具３の表側片３１及び裏側片３２の下端に当接し、先付ビード５ａ及び後付ビード５ｂの下端が下規制具４の表側片４１及び裏側片４２の上端に当接している。なお、上規制具３の下面（表側片３１と裏側片３２の間部分）と下規制具４の載置部４４の上面の間の間隔が、パネル２の高さよりも長いので、パネル２の下端が下規制具４の載置部４４に載置された状態で、パネル２の上端と上規制具３の下面（表側片３１と裏側片３２の間部分）の間には隙間が生じる。よって、上規制具３において、パネル２の上端部の上側位置に、露出面から凹んだ凹部３３が形成される。そして、この上規制具３の凹部３３は左右方向に貫通するものであって、中間支柱１ａの左右のパネル保持溝１１の溝底の凹部３３に対応する位置に、左右方向に貫通して凹部３３と連通する貫通孔１５を形成してある。この貫通孔１５は、凹部３３の開口の大きさよりも大きな孔としてある。これにより、中間支柱１ａにおいては、左右の上規制具３の凹部３３同士が貫通孔１５により連通し、パネル２の上端部の上側位置で左右に見通せるようになっている。一方、下規制具４において、パネル２が載置された載置部４４は露出面よりも溝底側に奥まった位置にあるので、パネル２の下端部の下側位置に、露出面から凹んだ凹部４３が形成される。下規制具４においては、凹部４３の溝底側は載置部４４で塞がれており、中間支柱１ａの対応位置に貫通孔は形成されていない。
【００１３】
以上が、本発明のパネル体のパネル取付部分の構成についての説明であるが、続いて、このパネル体の組立手順を示すとともに、その他の部分の構成についても説明する。まず、図５に示すように、支柱１ａ、１ｂの立設位置に合わせて、支柱補強材９を設置面に取り付ける。ここでは、１本の中間支柱１ａと、その両側に２本の端部支柱１ｂを設けるものとする。支柱補強材９は、金属製のものであって、基板９１に起立板９２を溶接して形成したものであり、基板９１を設置面にネジ止めする。
【００１４】
次に、図６に示すように、支柱１ａ，１ｂに下規制具４及び下側キャップ８を取り付ける。下側キャップ８には、支柱補強材９の起立板９２を丁度挿入可能な大きさの挿入孔８１を形成してある。中間支柱１ａに取り付ける下側キャップ８には、２つの下規制具４を取り付けてあり、端部支柱１ｂに取り付ける下側キャップ８には、１つの下規制具４を取り付けてある。そして、下規制具４をパネル保持溝１１内に納めつつ、下側キャップ８を各支柱１ａ，１ｂの下端に取り付け、タッピングホール１４にネジ止めして固定する。
【００１５】
次に、図７に示すように、支柱補強材９に支柱１ａ，１ｂを取り付ける。下側キャップ８の挿入孔８１を通して、支柱１ａ，１ｂの中空部内に支柱補強材９の起立板９２を挿入し、下側キャップ８を基板９１に当接させ、パネル保持溝１１の溝底から起立板９２にネジ止めして固定する。
【００１６】
次に、図８に示すように、各支柱１ａ，１ｂのパネル保持溝１１の、前側のビード挿入溝１３に、上側から先付ビード５ａを挿入する。先付ビード５ａの下端は、下規制具４の表側片４１の上端に当接させる。
【００１７】
次に、図９に示すように、各支柱１ａ，１ｂの間にパネル２を取り付ける。パネル２は、左右の側端部をそれぞれ支柱１ａ，１ｂのパネル保持溝１１に上側から挿入し、下端を下規制具４の載置部４４に載置させ、下端部を下規制具４の表側片４１と裏側片４２の間に呑み込ませる。
【００１８】
次に、図１０に示すように、支柱１ａ，１ｂに上規制具３及び上側キャップ７を取り付ける。中間支柱１ａに取り付ける上側キャップ７には、２つの上規制具３を取り付けてあり、端部支柱１ｂに取り付ける上側キャップ７には、１つの上規制具３を取り付けてある。そして、上規制具３をパネル保持溝１１内に納め、パネル２の上端部を表側片３１と裏側片３２の間に呑み込ませるとともに、先付ビード５ａの上端を表側片３１の下端に当接させて、上側キャップ７を各支柱１ａ，１ｂの上端に取り付ける。
【００１９】
次に、図１１に示すように、支柱１ａ，１ｂの上端に手摺受具６１ａ，６１ｂを取り付ける。手摺受具６１ａ，６１ｂは、平板の前後端部と中間部に起立片を形成した形材からなり、支柱１ａ，１ｂ間に横架する中間手摺受具６１ａと、端部支柱１ｂから端部側に突出する端部手摺受具６１ｂがある。これらの手摺受具６１ａ，６１ｂは、支柱１ａ，１ｂの上端の上側キャップ７に載置し、上側キャップ７を貫通して支柱１ａ，１ｂのタッピングホール１４にネジ止めする。
【００２０】
次に、図１２に示すように、手摺受具６１ａ，６１ｂに手摺材６を取り付ける。手摺材６は、木製のものであって、下面に断面略コ字形の溝部６２を形成してあり、溝部６２に手摺受具６１ａ，６１ｂが嵌め込まれ、手摺受具６１ａ，６１ｂの下側からネジ止めして固定する。また、端部手摺受具６１ｂの左右の端部には、端面を覆い隠す樹脂製の端部キャップ６３を取り付け、端部手摺受具６１ｂの下側からネジ止めして固定する。
【００２１】
次に、図１３に示すように、パネル２の裏側に後付ビード５ｂを取り付ける。後付ビード５ｂは、パネル２の裏側面と、パネル保持溝１１の後側の入口片１２の間に左右方向から挿入するもので、後付ビード５ｂの上端は上規制具３の裏側片３２の下端に当接し、後付ビード５ｂの下端は下規制具４の裏側片４２の上端に当接する。これにより、パネル２の表側面及び裏側面と、パネル保持溝１１の間にそれぞれ先付ビード５ａと後付ビード５ｂが挿入され、これらの先付ビード５ａ及び後付ビード５ｂによりパネル２が保持される。なお、パネル２は下端が下規制具４の載置部４４に載置されている一方で、上端に当接する部材はないが、このように先付ビード５ａ及び後付ビード５ｂで表裏から保持されているので、通常の使用状態においてパネル２が浮き上がることはない。
【００２２】
次に、図１４に示すように、支柱補強材９の基板９１にカバー材９３を取り付ける。カバー材９３は、基板９１の上面及び側面を覆う箱形のものであって、前後に分割されており、上面には支柱１ａ，１ｂを回避する切欠部９４を形成してある。そして、このカバー材９３を支柱補強材９の基板９１に前後から取り付けてある。以上により、図１５に示すように、パネル体が完成する。
【００２３】
このように構成した本発明のパネル体によれば、パネル２の側端部を支柱１ａ，１ｂのパネル保持溝１１の上規制具３と下規制具４の間に呑み込ませ、パネル２をビード（先付ビード５ａと後付ビード５ｂ）で保持するだけで取り付けができるものであり、パネル２自体に固定金具取り付けのための孔加工などが不要なので、施工が容易である。また、パネル２の上端部と下端部を、それぞれ上規制具３と下規制具４の表側片３１，４１と裏側片３２，４２で挟んであるので、パネル２が確実に保持される。さらに、先付ビード５ａ及び後付ビード５ｂの先端が、上規制具３と下規制具４の表側片３１，４１及び裏側片３２，４２の先端に当接しているので、先付ビード５ａ及び後付ビード５ｂと上規制具３及び下規制具４との間に隙間がなく、外観が良い。また、パネル２の上端及び下端の高さ位置と、上規制具３及び下規制具４の表側片３１，４１及び裏側片３２，４２の先端の高さ位置が予めずれているので、上規制具３、下規制具４や上側キャップ７、下側キャップ８の製作誤差などにより、パネル２に対する表側片３１，４１及び裏側片３２，４２の先端の高さ位置がさらに僅かにずれたとしても、ずれが認識されにくく、意匠性が低下しない。さらに、上規制具３において、パネル２の上端部の上側位置に露出面から凹んだ凹部３３が形成されており、下規制具４においても、パネル２の下端部の下側位置に露出面から凹んだ凹部４３が形成されていて、パネル２の上下に接するものがないように見えるので（上側には実際に接するものがなく、下側には載置部４４が接するが奥まっているので見えにくい）、パネル２が浮いているような意匠を表現できる。また、中間支柱１ａに上規制具３の凹部３３と連通する貫通孔１５を形成してあって、パネル２の上端部の上側位置で左右に見通せるようになっているので、並んだパネル２が、中間支柱１ａを貫通して繋がっている１枚のパネルであるかのように見える意匠を表現できる。なお、パネル２の下端部の下側位置では、凹部４３の溝底側が載置部４４で塞がれており、左右が見通せるようになっていないが、ここはパネル体の下端部で元々目に付きにくい場所なので、パネル２の上側位置のみで十分に上記の効果が得られる。また、中間支柱１ａの貫通孔１５は、凹部３３の開口の大きさよりも大きな孔としてあるので、孔の小口が視認しにくく意匠性が良好であるとともに、凹部３３に指を差し入れても孔の小口に触れにくく、安全性が高い。
【００２４】
本発明は、上記の実施形態に限定されない。たとえば、支柱は、直線状に並ぶものに限られず、途中で屈曲するように並んでいてもよい。その場合、支柱が並ぶ方向に応じて、対応する側面にパネル保持溝を形成すればよい。また、下規制具の載置部に、左右方向に貫通する孔を設けてもよいし、載置部を、表側片や裏側片から突出する突起などからなるものとしてもよい。これにより、中間支柱において、パネルの下端部の下側位置でも、左右に見通せるようになる。さらに、支柱の上部に設ける手摺材は、どのような形状のものであってもよいし、手摺材を設けず、支柱とパネルのみの構成としてもよい。
【符号の説明】
【００２５】
１ａ  中間支柱（支柱）
１ｂ  端部支柱（支柱）
２  パネル
３  上規制具
４  下規制具
５ａ  先付ビード（ビード）
５ｂ  後付ビード（ビード）
１１  パネル保持溝
【図１】
2018040160.tif 000003
【図２】
2018040160.tif 000004
【図３】
2018040160.tif 000005
【図４】
2018040160.tif 000006
【図５】
2018040160.tif 000007
【図６】
2018040160.tif 000008
【図７】
2018040160.tif 000009
【図８】
2018040160.tif 000010
【図９】
2018040160.tif 000011
【図１０】
2018040160.tif 000012
【図１１】
2018040160.tif 000013
【図１２】
2018040160.tif 000014
【図１３】
2018040160.tif 000015
【図１４】
2018040160.tif 000016
【図１５】
2018040160.tif 000017